(57)【要約】【課題】共通電極に電気的に接続される電極とキャピラリとの対を構成し、キャピラリアレイをセットする際の煩雑さを排除する。【解決手段】サンプルプレート５側のウェルのピッチに合わせて設けた各キャピラリ２ａの近傍（ウェルのエリア内）に設けた電極２３を共通電極部２４と電気的に接触させて、キャピラリ２ａと電極２３と共通電極部２４は一体化し、電気泳動装置へは共通電極部２４に電圧を印加することで各キャピラリ用電極２３に電圧を印加することを特徴とするものである。これにより、安価なマイクロタイタープレート等を使用し、同時に挿入、脱着が可能となる。【選択図】図２
2008249734.tif 000002
【特許請求の範囲】
【請求項１】
電気泳動路を形成する複数のキャピラリを有するキャピラリアレイと、電気泳動路に電圧を印加する電源に電気的に接続され、各キャピラリが挿入された複数の金属筒と、試料を収納する複数のウェルを有するサンプルプレートを移動させる試料移動台を具備するキャピラリ電気泳動装置であって、
キャピラリと金属筒が試料に挿入されるように試料移動台を制御する制御装置を備えるキャピラリ電気泳動装置。
【請求項２】
請求項１において、キャピラリと金属筒が円筒形であり、キャピラリの外径と金属筒の内径がほぼ同じであるキャピラリ電気泳動装置。
【請求項３】
請求項１において、キャピラリと金属筒の隙間が接着されているキャピラリ電気泳動装置。
【請求項４】
電気泳動路を形成する複数のキャピラリを有するキャピラリアレイと、電気泳動路に電圧を印加する電源に電気的に接続され、各キャピラリに蒸着された複数の蒸着電極と、試料を収納する複数のウェルを有するサンプルプレートを移動させる試料移動台を具備するキャピラリ電気泳動装置であって、
キャピラリと蒸着電極が試料に挿入されるように試料移動台を制御する制御装置を備えるキャピラリ電気泳動装置。
【請求項５】
電気泳動路を形成する複数のキャピラリを有するキャピラリアレイと、電気泳動路に電圧を印加する電源に電気的に接続され、各キャピラリの近傍に配設された複数の金属線電極と、試料を収納する複数のウェルを有するサンプルプレートを移動させる試料移動台を具備するキャピラリ電気泳動装置であって、
キャピラリと金属線電極が試料に挿入されるように試料移動台を制御する制御装置を備えるキャピラリ電気泳動装置。
【請求項６】
電気泳動路を形成する複数のキャピラリを有し、一端は試料供給部を、他端は試料検出部を構成するキャピラリアレイと、複数の各キャピラリが挿入され、かつキャピラリアレイに電圧を印加する電源に電気的に接続される金属筒、及びキャピラリアレイならびに金属筒を保持するキャピラリアレイホルダを具備するキャピラリアレイアッセンブリ。
【請求項７】
各ウェルに挿入され電気泳動路を形成する複数のキャピラリと、複数の各キャピラリが挿入され、電源と電気的に接続され得る複数の金属筒と、複数のキャピラリおよび複数の金属筒を一体として保持するキャピラリアレイホルダを具備するキャピラリアレイアッセンブリ。
【請求項８】
請求項６又は７において、キャピラリと金属筒が円筒形であり、キャピラリの外径と金属筒の内径がほぼ同じであるキャピラリアレイアッセンブリ。
【請求項９】
請求項６又は７において、キャピラリと金属筒の隙間が接着されているキャピラリアレイアッセンブリ。
【発明の詳細な説明】
【技術分野】
【０００１】
本発明は、キャピラリ電気泳動装置およびキャピラリアレイ（複数のキャピラリであって、例えば脱着可能に加工を施したものをいう）に係り、特に複数の毛細管または微細流路を泳動分離媒体として用いて、ＤＮＡ（デオキシリボ核酸）などの生体試料を分析するＤＮＡシーケンサ（ＤＮＡ塩基配列解析装置）に用いるのに好適なキャピラリ電気泳動装置（以下、電気泳動装置という）およびそれに用いるキャピラリに関するものである。
【背景技術】
【０００２】
長大な塩基配列をもつＤＮＡの塩基配列決定には、２枚のガラスプレートでゲルを挾みこみ、ガラスプレートの両端に電圧を印加して試料であるＤＮＡを電気泳動させる従来の平板ゲル方式から石英の毛細管（以下、キャピラリという）内にゲルを充填して、その両端に電圧をかけて試料を電気泳動させるキャピラリ電気泳動装置に移行している。
【０００３】
キャピラリ電気泳動装置は、平板ゲル方式に比べて、高速かつ高感度な分析が可能であり、また電気泳動電流による自己発熱からのジュール熱の影響も受けにくいため、電気泳動解析に良好な分解能を与えることができる。
【０００４】
近年、１つの電気泳動装置で、単位時間当たりの分析可能数を増やすため、複数のキャピラリをセットし、複数の試料のＤＮＡ解析を同時に実行可能な電気泳動装置が普及しつつある。
【０００５】
これらの装置では、キャピラリへの試料の導入、または電気泳動中に、キャピラリの試料導入側に電圧を印加する方法として、サンプルをセットしてあるサンプルプレートや電気泳動用バッファ槽そのものを金属など導体で構成するか、またはこれらに電極を内蔵させるものが多い。
【０００６】
特許文献１に記載されている技術のように、各キャピラリの試料導入部分の周囲を覆うような電極構造を電気泳動装置に持たせ、且つ同時に電気泳動装置に各電極に接続した配線パターンを介して高電圧を印加して電気泳動を行う方式もある。
【０００７】
【特許文献１】特開平１０−２０６３８２号公報
【発明の開示】
【発明が解決しようとする課題】
【０００８】
上記のサンプルプレートや電気泳動用バッファ槽そのものを金属など導体で構成する技術では、分析者は大量の試料のＤＮＡ解析に上記のような各ＤＮＡ解析装置に固有な電圧印加構造をもつサンプルプレートを大量に準備しなければならない。このことは分析に関するランニングコストを増大させ、且つ分析者への負担が大きくなるという問題があった。
【０００９】
次に、電気泳動装置としては汎用のマイクロタイタープレートなどを使用できることが望ましいが、このマイクロタイタープレートには勿論電気泳動装置に接続できる電極部を備えていない。したがって、電気泳動装置に電極を内蔵させる技術を用いることができない。
【００１０】
さらに、各キャピラリの試料導入部分の周囲を覆うような電極構造部を持たせると共に、各電極構造部に接続した配線パターンを有し、且つ高電圧を印加する電気泳動装置では、キャピラリの交換作業が大変に煩雑となる。
【００１１】
さらに、キャピラリは寿命があり、用途によっては異なる長さのキャピラリをセットし直して分析する必要がある。このとき、分析者は複数のキャピラリを１本、１本電気泳動装置にセットしなければならず、非常に手間のかかるという問題点がある。
【００１２】
また、この方式は、試料をキャピラリに導入するために、予め筒状の電極をサンプルプレート内のサンプルに接触させておき、後にサンプルプレートを駆動し移動させて前記キャピラリを筒状の電極の内側に挿入してサンプルに接触させるというものであり、外径が数百μｍの複数のキャピラリを筒状の電極内に同時に挿入するには、サンプルプレートの駆動部に非常な精度を要求するか、または、筒状の電極に十分な余裕をもった内径を持たせなければならない。
【００１３】
電極の筒を細くして、前記駆動部に精度を持たせた場合、筒状の電極内面とキャピラリ外面間の隙間に毛細管現象によって、前回測定した試料が残留し、精度のよい泳動分析ができなくなるという問題点がある。
【００１４】
電極の筒を太くして、駆動部に精度を要求しなければ、上記の毛細管現象による別試料の混入の可能性も低下するが、電極が太いため、底部に行くに従い、狭くなる逆円錐状のサンプルプレートのウェル底部には電極の下端が届かないという問題点がある。
【００１５】
前記電極が下端が届かないことにより、試料やバッファ液と接触しなければ、原理的に試料の導入や電気泳動は不可能である。したがって、前記試料やバッファ液と接触させるようにし、且つ汎用のマイクロタイタープレートを使用するとするならば、試料やバッファ液の液面を上昇させるためには、最小試料量は大きく設定しなければならないという問題点があった。
【００１６】
本発明は、かかる従来技術の問題点を解決するためになされたものであり、分析に関するランニングコストと分析者への負担を減じ、キャピラリの交換作業およびセットを容易にし、精度のよい分析ができ、最小試料量の設定が小さくできるキャピラリ電気泳動装置を提供することを第一の目的とする。
【００１７】
また、分析に関するランニングコストと分析者への負担を減じ、キャピラリの交換作業およびセットを容易にし、精度のよい分析ができ、最小試料量の設定が小さくできるキャピラリアレイアッセンブリを提供することを第二の目的とする。
【課題を解決するための手段】
【００１８】
本発明の目的は、特許請求の範囲に記載の発明によって達成される。
【発明の効果】
【００１９】
本発明の構成によれば、複数のキャピラリと電極を対として、試料台へのキャピラリアレイの試料台とのアライメントが容易に行える。
【発明を実施するための最良の形態】
【００２０】
以下、本発明の複数の実施例を説明する。図１ないし図７を参照して、第一の発明に係るキャピラリ電気泳動装置および第二の発明に係るキャピラリアッセンブリの実施例を説明する。
【００２１】
図１は、ＤＮＡシーケンサ用キャピラリ電気泳動装置の説明図、図２は、図１の電気泳動装置における電極部の説明図、図３は、図２の電気泳動装置における電源部の接続説明図、図４は、図１の電気泳動装置における他の電極部の説明図、図５は、図１の電気泳動装置におけるさらに他の電極部の説明図、図６は、図１の電気泳動装置におけるさらに他の電極部の説明図、図７はキャピラリアレイアッセンブリの説明図である。
〔実施例１〕
まず、第一の発明に係るＤＮＡシーケンサ用に最適なキャピラリ電気泳動装置の全体の構成を説明する。図１において、１はＤＮＡシーケンサ用キャピラリ電気泳動装置（電気泳動装置という）、２はキャピラリアレイ、２ａはキャピラリ、３は空気恒温槽、５はサンプルプレート、６はバッファタンク、７はＸＹＺ方向に移動自在なオートサンプラ、８はキャピラリアレイを固定するアレイホルダ（以下、アレイホルダという）、９はゲルブロック、１０は電気泳動グランド、１２はゲル充填用シリンジ、１３は光照射分析部、４０は電源部、５０は制御計算機である。
【００２２】
図１において、キャピラリアレイ２は２本以上のキャピラリ２ａからなり、アレイホルダ８で固定されて、電気泳動部を構成している。キャピラリアレイ２の大部分が空気恒温槽３に格納されるようにセットされている。空気恒温槽３は、その外周部を一部を除き断熱材で覆うようにし、前記断熱材の除かれた一部には空気恒温槽内の空気に接触させる加熱もしくは加熱・冷却のいずれかの素子が設けられている。
【００２３】
キャピラリアレイ２の先端の近くには、試料をセットするサンプルプレート５が配設されている。さらにサンプルプレート５の近傍には、キャピラリアレイ２へ電圧印加時の放電を防止し、試料を電気泳動するためのバッファ液を収容するバッファタンク６が配設されている。サンプルプレート５は市販のマイクロタイタープレートが用いられている。以下、サンプルプレート５は、マイクロタイタープレートを指すこととする。前記サンプルプレート５としては、アクリル樹脂等の合成樹脂で構成され、平面形状は矩形であり、８×１２＝９６個のウェル２１が行列状に設けられている。
【００２４】
ウェル２１は、サンプルプレート５の上面側から底部に向い、テーパ部が形成された断面形状を有する。これにより、試料の注入・導入の際、その作業が容易となる。
【００２５】
サンプルプレート５およびバッファタンク６はＸＹＺ方向に移動可能なオートサンプラ７上に載置されている。オートサンプラ７は電気泳動装置１の匡体底面に取り付けられ、制御計算機５０が、前後、左右方向および上下方向に位置決めし、移動モータ（図示しない）が制御され、移動するようになっている。
【００２６】
キャピラリアレイ２は、キャピラリ２ａの１６本（８×２）が行列状に配置され、その内部には電気泳動分離用のゲルが充填されている。キャピラリアレイ２のサンプルプレート５に対応する先端側は、アレイホルダ８により固定され、キャピラリアレイ２の他の先端側は、ゲルブロック９と接続されて固定されている。
【００２７】
ゲルブロック９にはキャピラリアレイ２との接続部から、電気泳動グランド１０まで分離媒体であるゲル（ポリマー）が充填されており、電源部４０が電気泳動グランド１０の接地極側と接続されている。前記電気泳動グランド１０は、電気泳動装置１の筐体底面に取付けられている。
【００２８】
サンプルプレート５のウェル２１のピッチに応じたピッチでキャピラリ２ａをアレイホルダ８が配列されている。一例として図示では８本である。そして、キャピラリ２ａが取り付けられているアレイホルダ８は、当該キャピラリと、金属線電極、共通電極からなる電極部（図示せず）とが一体的に構成されている。この一体化電極構造については後述する。この電極部には電源部４０の高圧側が接続されている。
【００２９】
キャピラリアレイ２の泳動終端部の近くには、光分析部１３が配設されている。この光分析部１３はキャピラリアレイ２の透明窓（図示しない）を介して、例えばキャピラリアレイ２中の試料を照射して励起させるレーザ光源（図示しない）と、前記励起によって発生した励起光を検出する光センサとから構成されている。この光センサの信号から、制御計算機５０でＤＮＡの塩基配列を決定したり、ＤＮＡの種類を識別する。
【００３０】
なお、電気泳動装置１には、一回の電気泳動を行なう毎にゲルを交換するためのゲル充填用シリンジ１２に、ゲル交換時の逆流を防止するための電磁弁１１が設けられている。これらの動作も制御計算機５０で制御される。また、図１においては、電源部４０および制御計算機５０を外部設置としているが、電気泳動装置１内に設置しても差し支えないことはいうまでもない。
【００３１】
上記構成の電気泳動装置におけるアレイホルダ８におけるキャピラリ、金属線電極、共通電極部からなる一体化構造電極部について図２を参照して説明する。
【００３２】
図２は、一体化構造電極部を、アレイホルダ８を構成する絶縁性部材２５ａと絶縁性部材２５ｂに分解し、構造が明らかになるようにしたものである。一体化時には、アレイホルダ８を構成する絶縁性部材２５ｂと絶縁性部材２５ａとを係合させた構造となっている。キャピラリアレイに対応するサンプルプレート５のウェル２１に対応して配置される。
【００３３】
図２において、図1と同一符号は同一機能、同等部分であるので煩瑣となるので省略し、新たな符号のみを説明する。２３は金属線電極、２４は共通電極部、２５ａ、２５ｂは絶縁性部材、２５ｃは、キャピラリ２ａを貫通させる円形の貫通穴、２６は電源部４０と接続される電極棒３０の挿入穴である。
【００３４】
図２に示す如く、アレイホルダ８は、サンプルプレート５との対応面を有し、且つ前記対応面上にＬ形部を横設して形成される絶縁性部材２５ｂと、絶縁性部材２５ｂの対応面上およびＬ形部とに係合する絶縁性部材２５ａとからなり、両部材を一体化する構造となっている。なお、アレイホルダ８は、適宜な手段により、図示で空気恒温槽３の壁面に取付けられる。以下の各変形例においても同様である。
【００３５】
絶縁性部材２５ｂには、サンプルプレート５のウェル２１のピッチに応じたピッチで、サンプルプレート５との対応面を貫通してキャピラリが配設されている。複数のキャピラリ２ａ（図示では例として二本）と、複数キャピラリ２ａの近傍にキャピラリ２ａと平行に配設され、サンプルプレート５との対応面を挿通している複数の金属線電極２３と、サンプルプレート５との対応面に直交する前記Ｌ形部の立上り面に定着させた共通電極部２４が配設される。ここで、複数キャピラリ２ａの近傍とは、複数キャピラリ２ａをウェル２１内に挿入した時、ウェル２１内に同時に挿入されるような位置をいう。そして、複数の金属線電極２３はすべて共通電極部２４に電気的に接触する。この電極部材は、キャピラリに接触してもよい。
【００３６】
また、絶縁性部材２５ａには、絶縁性部材２５ａと絶縁性部材２５ｂとを係合させた時、複数キャピラリ２ａをそれぞれ挿通させるための貫通穴２５ｃが複数のキャピラリ２ａのピッチに応じ、その数だけ穿設される。
【００３７】
このような絶縁性部材２５ａと絶縁性部材２５ｂとを係合させ、相互に一体化構造としたときには、キャピラリ２ａ、金属線電極２３、共通電極部２４は、相互に係合する絶縁性部材２５ｂと絶縁性部材２５ａで外周面が覆われ、サンプルプレート５の方向側からはキャピラリ２ａと前記金属線電極３のみが見られる。なお、一体化構造とするときは、部材２５a、２５ｂの係合面を適宜な手段、例えば一例として、接着材で接着してもよい。
【００３８】
さらに、前記一体化構造としたときには、絶縁性部材２５ａの前記貫通穴２５ｃから複数のキャピラリ２ａが外方に突設して延設され、電気泳動部の終端部となっている。したがって、サンプルプレート５の反対方向側からはキャピラリ２ａのみが見える構成となっている。このように外周を絶縁性部材２５ａ、２５ｂで覆うことによりキャピラリ２ａに印加される高電圧によるアーク放電を防止することができる。
【００３９】
図３を参照して、アレイホルダの一体化構造における電源部の電圧印加方法を説明する。図３（ａ）は、図２の一体化構造部の背面図、図３（ｂ）は、図２の一体化構造部の平面図であり、電源との接続法も簡略化して示してある。図３において、３０は電源部４０と接続される電極部（以下、電極棒という）である。なお、図３（ａ）においては、一体化構造部を明確にするため、電極棒３０の図示を省略した。
【００４０】
絶縁性部材２５ｂ上のサンプルプレート５と直交する面に設けた共通電極部２４には１個以上の挿入穴２６が設けられている。挿入穴２６には電極棒３０が挿入され、共通電極部２４と電気的に接続する。このとき、図示を省略したが、電極棒３０は、共通電極部２４と電気接触抵抗を小さくなるように、弾性部材で付勢される。電極棒３０の共通電極部２４との当接面の他端には、電源部４０の負の高圧側が印加され、電源部４０の正側は電気泳動グランド１０の接地側と接続されている。
【００４１】
キャピラリアレイ２がウェル２１に挿入され、且つ挿入穴２６に挿入された電極棒３０を介して高電圧が共通電極部２４に印加された時は、金属線電極３が共通電極部２４に電気的に接触している。高電圧が印加されるので、金属線電極３とキャピラリ２ａとが各サンプルプレート５のウェル２１内の試料もしくはバッファ容器内のバッファ液に同時に接触し、キャピラリ２ａ内への試料の導入もしくは電気泳動がなされるようになっている。
【００４２】
図４を参照して、図２のアレイホルダにおける一体化構造電極部の変形例を説明する。図４において、図２と同一符号は、同一機能、同一仕様の同等品であるので再度の説明は省略し、新たな番号のみを説明する。２４ａは共通電極部２４の延長電極部、１２７は電気的接触部である。
【００４３】
図４は、アレイホルダ８を、絶縁性部材２５ｂと、それと係合する絶縁性部材２５ａに分解し一体化構造が明らかになるようにしたものである。一体化時には絶縁性部材２５ｂと絶縁性部材２５ａとを係合させた構造となっている。図４のキャピラリアレイ２はサンプルプレート５のウェル２１に対応して配置される。
【００４４】
図示するように、共通電極部２４は絶縁性部材２５ｂ内のサンプルプレート５と対応する平面に配設する。絶縁性部材２５ｂ内へ挿入させた金属線電極２３は溶接等の適宜な手段による電気的接触部１２７によって共通電極部２４に接合させている。電極棒３０を貫通するための貫通穴２６の近傍位置に共通電極部２４の延長電極部２４ａを設ける。このようにして、キャピラリアレイ２及び金属線電極２３に電気的に接続された延長電極部２４ａにより、高電圧印加部分が確保される。
【００４５】
図５を参照して、図２のアレイホルダにおける一体化構造電極部の他の変形例を説明する。図５において、図２と同一符号は、同一機能、同一仕様の同等品であるので再度の説明は省略し、新たな番号のみを説明する。１２８は、キャピラリ２ａに蒸着させた白金蒸着電極である。
【００４６】
図５は、アレイホルダ８を、絶縁性部材２５ｂとそれと係合する絶縁性部材２５ａに分解し、その構造が明らかになるようにしたものであり、キャピラリアレイとサンプルプレート５は対応して配置される。このアレイホルダ８を一体化する時には、絶縁性部材２５ｂと絶縁性部材２５ａとを係合させた構造となっている。
【００４７】
この変形例と図２との相違点は、各電極として、金属線電極ではなく、蒸着金属膜が電極２８として使用されている点である。蒸着電極１２８はキャピラリ２ａの金属性管の試料側の端部から共通電極部２４に対応する部分まで蒸着部を設けたものである。そして、前記蒸着部で共通電極部２４と電気的に接触するようになっている。
【００４８】
また、図２における絶縁性部材２５ａを絶縁性部材２５ｂに係合させ、キャピラリ２ａをアレイホルダ８の外方へ突設させるための挿通穴は半円形２５ｄとなっている。
【００４９】
図６を参照して、図４のアレイホルダにおける一体化構造電極部の変形例を説明する。図６において、図４と同一符号は、同一機能、同一仕様の同等品であるので再度の説明は省略して、新たな番号のみを説明する。２９はステンレス製の円筒電極である。
【００５０】
図６は、アレイホルダ８を、絶縁性部材２５ｂとそれと係合する絶縁性部材２５ａに分解しその構造が明らかになるようにしたものであり、キャピラリアレイはサンプルプレート５と対応して配置される。アレイホルダ８の一体化時には、絶縁性部材２５ｂと絶縁性部材２５ａとを係合させた構造となっている。この変形例と図４との相違点は、各キャピラリ２ａ用の電極として、金属線電極ではなく、キャピラリを挿入した円筒状電極２９を使用している点である。
【００５１】
円筒状電極２９は、各キャピラリ２ａの周囲を取り巻く円筒管を、キャピラリ２ａの試料側先端から共通電極部２４まで設け、共通電極部２４と当該円筒状電極２９との電気接触部２７を設けたものである。本変形例においては、円筒状電極２９とキャピラリ２ａの隙間に別試料が残留しないように接着するなどして隙間を埋めるように構成されている。
【００５２】
上記各実施形態において用いられた絶縁性部材２５ａ、２５ｂの形状は、上記に限定されることなく、種々の形状をとっても差し支えない。
〔実施例２〕
次に、キャピラリアレイアッセンブリの全体構成を説明する。図７を参照して、図６に示すアレイホルダを用いたキャピラリアレイアッセンブリの構成を説明する。
【００５３】
アレイホルダ８には、図６で説明した如く、各キャピラリ２ａの周囲を取り巻く円筒状電極２９がキャピラリ２ａの試料側先端からサンプルプレート５に対応する面に設けられた共通電極部２４（図７においては外部からは見えない）に電気接触部１２７で接触するようになっている。
【００５４】
図示するように、上記のようなキャピラリアレイ２と円筒状電極２９の１６本をサンプルプレート５のウェル２１のピッチに応じて配列し、８本、２列に配列されるようにアレイホルダ８の穴に絶縁性部材２５を貫通させる。
【００５５】
再度の説明は省略するが、図６で説明した如く、絶縁性部材２５は、二つの絶縁性部材２５ａと絶縁性部材２５ａ（図７では係合させているので区別されて図示していない）を係合させている。
【００５６】
また、共通電極部２４等を覆う絶縁性部材２５の一部または複数の部位に開けられた貫通穴２６に挿通される電極棒３０（図３参照）よってキャピラリアレイ２の外部から共通電極部２４を介して電気泳動部に高電圧を印加することができる。
【００５７】
貫通させたキャピラリ２ａの先端および先端部に設けられた円筒状電極２９がサンプルプレート５の各ウェル２１またはバッファ槽６（いずれも図７においては図示しない）に挿入されたとき、試料の導入や電気泳動が行われる。各キャピラリ２ａの終端部は、光分析部１３が取り付けられている。そしてゲルブロック９と接続される。
【００５８】
上記のような、図７に示すユニット単位、すなわちキャピラリ２ａを１６本を用いたキャピラリアレイ２は、キャピラリ２ａのみならず、円筒電極２９や共通電極部２４を含めて、電気泳動装置との脱着が一回の操作ででき、ウェル内への挿入が容易である。そのため、キャピラリアレイの交換が容易であり、電極とキャピラリが１つのアレイホルダで一体化しているため、電極とキャピラリ間の配置精度に留意する必要がない。上記においては、図６に示されるアレイホルダを用いたキャピラリアレイアッセンブリについて説明したが、他のアレイホルダでも同様であることはいうまでもない。
【００５９】
次に、上記構成の電気泳動装置の動作を図７のキャピラリアレイアッセンブリを使用して説明する。電気泳動装置の動作の準備として、サンプルプレート５の８×１２＝９６個の各ウェル５ａにピペッテイングにより試料を注入する。空気恒温槽３の蓋が閉じられ、その内部に取り付けられているフアン２７、２８により空気循環流を形成する。この時、空気恒温槽３は一部を除いて外面を断熱材２６で覆い、前記断熱材が除かれた部位には加熱・冷却可能の素子２２たとえばペルチエ素子を設け、内面が良熱伝導部材２３で覆われているので、加熱・冷却可能の素子２２からの伝熱が内面を速やかに伝わる。
【００６０】
さらに、制御計算機５０でフアン２７、２８を制御し、起動する。フアン２７、２８には、回転方向から空気を吸い込み、径方向に空気を吹き出すフアンを用いるので、風量の多い循環空気流が得られ、且つ空気恒温槽２０が厚さが小となるので、外面の断熱部材２６，加熱・冷却可能の素子２２、内面の良熱伝導部材２３とが協動して空気恒温槽２０の内部の温度が均一化される。電気泳動装置１のキャピラリアレイ２は、全体が一定の温度に保たれる。
【００６１】
このような状態になったのち、制御計算機５０によりオートサンプラ７でマイクロタイタープレート５を前後方向に移動し、マイクロタイタープレート５の各ウェル２１がキャピラリアレイ２のキャピラリ２ａの真下にくると停止する。次に、オートサンプラ７を上昇させ、キャピラリ２ａがウェル２１の試料中に挿入される位置で停止させる。
【００６２】
次に、キャピラリアレイ２がウェル２１の試料中に挿入する。このとき、キャピラリ２ａが１６本および電極２９が１６本およびこれら電極２９が接触する共通電極部２４が絶縁性部材２５ａ、２５ｂで周囲が覆われ、一体化電極部となっているので対応する各ウェル２１の試料中に、これらの各部材が容易、且つ同時に挿入される。
【００６３】
なお、図２に示すような金属線電極２３が使用されている場合は、サンプルプレート５のウェル２１内にキャピラリアレイ２が挿入されてない状態で、キャピラリ２ａと接触させてはいけない。接触させると、両者の隙間に毛細管現象によって別試料が残留し、精度良い分析を妨げることになる。
【００６４】
この挿入された状態で、制御計算機５０で電源部４０を操作し、貫通穴２６に挿入される電極棒３０（図３参照）を介して、電気泳動グランド１０−ゲルブロック９−キャピラリ２ａのゲル−試料−電極２９で形成される回路に負の高電圧が印加することにより、ウェル５ａ中の試料はキャピラリ２ａに導入される。ここで、負の高電圧を遮断する。
【００６５】
再度、オートサンプラ７を移動し、キャピラリ２ａの下端がバッファタンク６に挿入される位置で停止させる。次に、オートサンプラ７を上下方向に移動し、前記キャピラリ２ａが前記バッファタンク６中のバッファ液に挿入され、電極２９もバッファ液に挿入される。この際の挿入も各部材が試料中への挿入と同じく、同時且つ容易に行なわれる。
【００６６】
その状態で、再度、電気泳動グランド１０−ゲルブロック９−キャピラリ２ａ中のゲル−試料−バッファ液−電極２９間に負の高電圧を印加する。この高電圧印加によりキャピラリ２ａに導入されている試料は、電気泳動分離される。
【００６７】
なお、測定毎にキャピラリアレイ２の内部のゲルポリマーは、新しいゲルポリマーと置換される。これは、電磁弁１１を閉じて、ゲル充填用シリンジ１２を駆動することによって、シリンジ１２内のゲルポリマーをキャピラリアレイ２に充填する。これらの制御は制御計算機５０で行なわれる。
【００６８】
光分析部１３は、外部と遮光されており、試料励起用レーザ光（図示せず）が光分析部１３の位置にあるキャピラリ２ａに導かれる。キャピラリ２ａの内部を電気泳動するＤＮＡに結合した蛍光試薬から発する蛍光を検出して、この検出信号からＤＮＡの解析が計算機によって行われる。また、本発明は、ＤＮＡなどの試料の分離、分析などの他、試料台たとえば、マルチウェルへの電気泳動法による供給にも適用できる。
【図面の簡単な説明】
【００６９】
【図１】ＤＮＡシーケンサ用キャピラリ電気泳動装置の構成図である。
【図２】図１の電気泳動装置における電極部の説明図である。
【図３】図２の電気泳動装置における電源部の接続説明図である。
【図４】図１の電気泳動装置における他の電極部の説明図である。
【図５】図１の電気泳動装置におけるさらに他の電極部の説明図である。
【図６】図１の電気泳動装置におけるさらに別の電極部の説明図である。
【図７】キャピラリアレイアッセンブリの説明図である。
【符号の説明】
【００７０】
１…ＤＮＡシーケンサ用キャピラリ電気泳動装置、２…キャピラリアレイ、２ａ…キャピラリ、３…空気恒温槽、５…サンプルプレート、６…バッファタンク、７…オートサンプラ、８…アレイホルダ、９…ゲルブロック、１０…電気泳動グランド、１２…ゲル充填用シリンジ、１３…光分析部、２３…金属線電極、２４…共通電極部、２５ａ，２５ｂ…絶縁性部材、２６…挿入穴、１２７…電気的接触部、１２８…蒸着電極、２９…円筒状電極、３０…電極部、４０…電源部、５０…制御計算機。
【図１】
2008249734.tif 000003
【図２】
2008249734.tif 000004
【図３】
2008249734.tif 000005
【図４】
2008249734.tif 000006
【図５】
2008249734.tif 000007
【図６】
2008249734.tif 000008
【図７】
2008249734.tif 000009
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
ウェル内のサンプルのための電気泳動路が形成されるようにウェル内に挿入されるべき、キャピラリアレイアッセンブリであり、
それぞれのウェルに挿入されるべき複数のキャピラリと、
その中にそれぞれキャピラリを収容する内周を有する、複数の円筒型電極と、
キャピラリと電極を一体に保持するキャピラリアレイホルダと、を有し、
各内周と各キャピラリとの間の隙間が接着剤で充填されている、キャピラリアレイアッセンブリ。
【請求項２】
前記隙間は隙間内にサンプルが残らないように制限されている、請求項１に記載のキャピラリアレイアッセンブリ。
【請求項３】
前記電気泳動路に電圧を印加するための電源と複数の円筒電極とを電気的に接続する接続手段を前記キャピラリアレイホルダに備える、請求項１に記載のキャピラリアレイアッセンブリ。
【請求項４】
その中で、ウェル内のサンプルのための電気泳動路が形成されるように、キャピラリアレイアッセンブリがウェル内に挿入されるようにされた、キャピラリ電気泳動装置であり、
それぞれのウェルに挿入されるべき複数のキャピラリと、
その中にそれぞれキャピラリを収容する内周を有する、複数の円筒型電極と、
キャピラリアレイアッセンブリを形成するよう、キャピラリと電極を一体に保持するキャピラリアレイホルダと、
円筒型電極を電気的に励起するための電源と、
サンプルゲルをレーザー光で照射励起し、且つ当該励起により発生した光を検知するための分光器と、を有し、
各内周と各キャピラリとの間の隙間が接着剤で充填されている、キャピラリアレイアッセンブリを備えるキャピラリ電気泳動装置。
【請求項５】
前記隙間は隙館内にサンプルが残らないように制限されている、請求項４に記載のキャピラリ電気泳動装置。
【請求項６】
複数の円筒電極と電源とを電気的に接続する接続手段をキャピラリアレイホルダに備える、請求項４に記載のキャピラリ電気泳動装置。
【手続補正３】
【補正対象書類名】明細書
【補正対象項目名】００１７
【補正方法】変更
【補正の内容】
【００１７】
また、分析に関するランニングコストと分析者への負担を減じ、キャピラリの交換作業およびセットを容易にし、精度のよい分析ができ、最小試料量の設定が小さくできるキャピラリアレイアッセンブリを提供することを第二の目的とする。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
以下、本発明の複数の実施例を説明する。図１ないし図７を参照して、第一の発明に係るキャピラリ電気泳動装置および第二の発明に係るキャピラリアレイアッセンブリの実施例を説明する。
【手続補正１２】
【補正対象書類名】明細書
【補正対象項目名】００２８
【補正方法】変更
【補正の内容】
【００２８】
図１は、ＤＮＡシーケンサ用キャピラリ電気泳動装置の説明図、図２は、図１の電気泳動装置における電極部の説明図、図３は、図２の電気泳動装置における電源部の接続説明図、図４は、図１の電気泳動装置における他の電極部の説明図、図５は、図１の電気泳動装置におけるさらに他の電極部の説明図、図６は、図１の電気泳動装置におけるさらに他の電極部の説明図、図７はキャピラリアレイアッセンブリの説明図である。
【手続補正１３】
【補正対象書類名】明細書
【補正対象項目名】００６１
【補正方法】変更
【補正の内容】
【００６１】
〔実施例２〕
次に、キャピラリアレイアッセンブリの全体構成を説明する。図７を参照して、図６に示すアレイホルダを用いたキャピラリアレイアッセンブリの構成を説明する。
【手続補正１４】
【補正対象書類名】明細書
【補正対象項目名】００６７
【補正方法】変更
【補正の内容】
【００６７】
上記のような、図７に示すユニット単位、すなわちキャピラリ２ａを１６本を用いたキャピラリアレイ２は、キャピラリ２ａのみならず、円筒電極２９や共通電極部２４を含めて、電気泳動装置との脱着が一回の操作ででき、ウェル内への挿入が容易である。そのため、キャピラリアレイの交換が容易であり、電極とキャピラリが１つのアレイホルダで一体化しているため、電極とキャピラリ間の配置精度に留意する必要がない。上記においては、図６に示されるアレイホルダを用いたキャピラリアレイアッセンブリについて説明したが、他のアレイホルダでも同様であることはいうまでもない。
【手続補正１５】
【補正対象書類名】明細書
【補正対象項目名】００６８
【補正方法】変更
【補正の内容】
【００６８】
次に、上記構成の電気泳動装置の動作を図７のキャピラリアレイアッセンブリを使用して説明する。電気泳動装置の動作の準備として、サンプルプレート５の８×１２＝９６個の各ウェル５ａにピペッテイングにより試料を注入する。空気恒温槽３の蓋が閉じられ、その内部に取り付けられているフアン２７、２８により空気循環流を形成する。この時、空気恒温槽３は一部を除いて外面を断熱材２６で覆い、前記断熱材が除かれた部位には加熱・冷却可能の素子２２たとえばペルチエ素子を設け、内面が良熱伝導部材２３で覆われているので、加熱・冷却可能の素子２２からの伝熱が内面を速やかに伝わる。
【手続補正１６】
【補正対象書類名】明細書
【補正対象項目名】００７８
【補正方法】変更
【補正の内容】
【００７８】
【図１】ＤＮＡシーケンサ用キャピラリ電気泳動装置の構成図である。
【図２】図１の電気泳動装置における電極部の説明図である。
【図３】図２の電気泳動装置における電源部の接続説明図である。
【図４】図１の電気泳動装置における他の電極部の説明図である。
【図５】図１の電気泳動装置におけるさらに他の電極部の説明図である。
【図６】図１の電気泳動装置におけるさらに別の電極部の説明図である。
【図７】キャピラリアレイアッセンブリの説明図である。